(57)【要約】      （修正有）【課題】子供の内部への出入りが容易になされて便利に使用できるチャイルドシート用の自転車用風防を提供する。【解決手段】自転車の後部に設置されるチャイルドシートを覆うように装着される自転車用風防であり、前面部２と両側面部４、４とが互いに離脱可能で、前面部２が上方に開き状態とされてそこに出入り開口１１が形成され、さらに前面部２と両側面部４、４とがファスナー１０により閉じられる構造とする。【選択図】図３
0003182446.tif 000002
【実用新案登録請求の範囲】
【請求項１】
自転車の後部に設置されるチャイルドシートを覆うように装着される自転車用風防であり、
前面部と両側面部とが互いに離脱可能で、前記前面部が上方に開き状態とされてそこに出入り開口が形成されることを特徴とする自転車用風防。
【請求項２】
前記前面部と前記両側面部とがファスナーにより閉じられる請求項１記載の自転車用風防。
【請求項３】
全体が不透明のシートよりなり、前記前面部の上部に透明窓が設けられてなることを特徴とする請求項１記載の自転車用風防。
【請求項４】
換気窓を備える請求項１記載の自転車用風防。
【考案の詳細な説明】
【技術分野】
【０００１】  この考案は、自転車の後部に設置されるチャイルドシート用の自転車用風防に関する。
【背景技術】
【０００２】  自転車において、後部位置においても小さな子供を乗せることができるチャイルドシートが汎用されている。
【考案の概要】
【考案が解決しようとする課題】
【０００３】  この考案では、自転車の後部位置に設置されるチャイルドシートにおいて好適に使用される自転車用風防を提供することを目的とする。
【課題を解決するための手段】
【０００４】  この考案は、自転車の後部に設置されるチャイルドシートを覆うように装着される自転車用風防であり、前面部と両側面部とが互いに離脱可能で、前記前面部が上方に開き状態とされてそこに出入り開口が形成されることを特徴とする自転車用風防を提供する。【０００５】  上記構成の自転車用風防は、前面部が上方に開き状態とされてそこに出入り開口が形成されることで子供の自転車用風防内への出入りが容易になされる。【０００６】  前面部と両側面部とがファスナーにより閉じられる構成とされることで、その開閉が容易になされ、かつ、閉じた際に密封状態となり隙間風が風防内部に入り込むことがない。さらに、全体が不透明のシートで形成されたものにおいて、前面部に透明窓が設けられた構成とされることで内部に収容される子供は外部が見えて密閉感が少ないとともに、外部から子供の状態が確認できる。また、換気窓が設けられる構成とされることで内部のエアーコンディションが良好に保たれ、かつ、収容される子供は外部が見えて密閉感がなく、かつ、楽しい。
【考案の効果】
【０００７】  この考案によれば、子供の内部への出入りが容易になされて便利に使用できるチャイルドシート用の自転車用風防が得られる。
【図面の簡単な説明】
【０００８】
【図１】この考案のチャイルドシート用の自転車用風防及びその支持部材の実施形態の分解斜視図
【図２】この考案のチャイルドシート用の自転車用風防の実施形態の背面側斜視図
【図３】この考案のチャイルドシート用の自転車用風防の実施形態の使用形態説明図
【考案を実施するための最良の形態】
【０００９】  図１はこの考案のチャイルドシート用の自転車用風防１とそれを装着する際に使用する支持部材４０とを示す。【００１０】  自転車用風防１は全体が表面に防水加工が施された不透明のシート部材よりなり、前面部２と両側面部４、４と上面部６と後面部１２とからなり、図２にも示すように、下方から後方にかけて開放部９となり、内部をチャイルドシート及びそれに座る子供の収容部５としている。【００１１】  前面部２と両側面部４、４とは上下方向において連続して分離し、その分離位置のそれぞれにファスナー１０、１０のそれぞれが設けられ、それらファスナー１０、１０が閉じられることで前面部２と両側面部４、４とが連続するようになっている。【００１２】  両方のファスナー１０、１０がともに開かれることで、図３に示すように、前面部２が上方に開き状態とされてそこに子供の収容部５への出入り開口１１が形成されるようになっている。このように、前面部２と両側面部４、４とがファスナー１０、１０により閉じられる構成とされることで、その開閉が容易になされ、かつ、閉じた際に密封状態となり収容部５内に隙間風が入り込むことがないようになっている。【００１３】  前面部２の上部には透明シートよりなる透明窓３が設けられるとともに、下部にはチャイルドシートへの装着時に自転車の車輪上の泥除けカバーが入り込む切欠き部３５が設けられている。両側面部４、４の上部には網目格子体１３、１３を備える換気窓１４、１４が設けられるとともに、その換気窓１４、１４を覆うようにカバー体１５、１５が取り付けられている。カバー体１５、１５は端部と基部に面ファスナー１６、１６、面ファスナー１７、１７のそれぞれを備え、両側面部４、４には面ファスナー１６、１６に対応する面ファスナー１８、１８のそれぞれが取り付けられている。カバー体１５、１５が閉じられた状態においては面ファスナー１６、１６が面ファスナー１８、１８に合致され、図３に示すように、カバー体１５、１５が開かれた際には面ファスナー１６、１６が面ファスナー１７１７に合致されることでカバー体１５、１５は二つ折り状態とできて換気窓１４、１４の下半部を開き状態とする。また、両側面部４、４の下縁にはゴム伸縮部３３、３３が形成され、後面部１２の下縁にもゴム伸縮部３４が形成されている。【００１４】  支持部材４０は一対の鋼材よりなる同形状の支持ポール２０、２０がその略中間位置で鉄製の連結部材２１により一体に固定されて搆成されている。支持ポール２０、２０のそれぞれは、前方に突出する上折れ曲がり片２２、２２と垂直部２３、２３と前方に突出する下折れ曲がり片２４、２４とが連続して形成され、上折れ曲がり片２２、２２から垂直部２３、２３の上部にかけて弾力性樹脂よりなる被覆体２５、２５が装着されている。垂直部２３、２３は途中の２か所に折り曲げ部を備え、その中間部が連結部材２１により連結固定されている。下折れ曲がり片２４、２４の先端には固定穴２６、２６が形成された固定面部２８、２８が設けられている。【００１５】  垂直部２３、２３のそれぞれは２か所に折り曲げ部を備えることで被覆体２５、２５間の距離Ｗが自転車用風防１の内面巾と略等しくされ、かつ、下折れ曲がり片２４���２４間の距離ｗが小さくされて自転車後部の取り付け部である巾の狭い後部座席の下部に取り付けられる構成とされている。【００１６】  自転車用風防１の自転車の後部チャイルドシートへの装着取り付けを説明する。まず、支持ポール２０、２０の下折れ曲がり片２４、２４それぞれの固定面部２８、２８のそれぞれが上部にチャイルドシートが取り付けられた自転車の後部座席の下方に差し入れられ、チャイルドシートを後部座席に固定するネジを兼用して固定されることで支持部材４０が自転車に取り付けられ、その支持部材４０の支持ポール２０、２０それぞれを開放部９に通すようにして上方から、前面部８を前側として自転車用風防１が装着される。【００１７】  その装着状態において、支持ポール２０、２０の被覆体２５、２５のそれぞれに上面部６の両側後部の内面が支持され、ゴム伸縮部３３、３３とゴム伸縮部３４とが弾力的に自転車及びチャイルドシート側に当接することで、自転車用風防１はチャイルドシート上に安定配置される。【００１８】  その際、支持ポール２０、２０に弾力性樹脂よりなる被覆体２５、２５が取り付けられていることで、それらが上面部６の内面に広い接触面で位置ずれすることなく当接して自転車用風防１を安定支持し、かつ、その上面部６の内面の当接部分を損傷することが回避される。くわえて、収容部５内に収容される子供にとっても支持ポール２０、２０の上折れ曲がり片２２、２２の金属製の端部が露出していないことで安全性が確保される。【００１９】  また、自転車用風防１の使用に際しては、図３に示すように、前面部２が上方に開き状態とされてそこに出入り開口１１が形成されるので、収容部５内への子供の出入りが容易になされる。また、透明窓３が設けられていることで子供は外部が見えて密閉感が少ないとともに外部から内部の子供の状態が確認できる。また、換気窓１４が設けられていることで高温の夏場や湿度の高い梅雨時期には換気ができて収容部５のエアーコンディションが良好に保たれる。
【符号の説明】
【００２０】１    自転車用風防
２    前面部
３    透明窓
４    側面部
１０  ファスナー
１１  出入り開口
１４  換気窓
【図１】
0003182446.tif 000003
【図２】
0003182446.tif 000004
【図３】
0003182446.tif 000005